(57)【特許請求の範囲】
【請求項１】
第一のレベルと、第二のレベルと、前記第一および第二のレベルの間の第三のレベルとを有する矩形波信号によって、現像バイアス電圧を制御する現像バイアス制御装置であって、
前記第一および第二のレベルの出力を指示する第一の矩形波信号と、
前記第一の矩形波信号による指示よりも優先され、前記第三のレベルの出力を指示する第二の矩形波信号と、
前記第一の矩形波信号の立上りと前記第二の矩形波信号の立上りとが重なるときは、前記第二の矩形波信号の立上りを前記第一の矩形波信号の立上りよりも早くし、前記第一の矩形波信号の立下りと前記第二の矩形波信号の立下りとが重なるときは、前記第二の矩形波信号の立下りを前記第一の矩形波信号の立下りよりも遅くするよう制御する制御手段とを備える、現像バイアス制御装置。
【請求項２】
前記第一および第二の矩形波信号に基いて、前記現像バイアス電圧を制御する矩形波信号を生成する制御用矩形波信号生成手段を含む、請求項１に記載の現像バイアス制御装置。
【請求項３】
所定の条件に応じて、前記第一、第二および第三のレベルを変更するレベル変更手段を含む、前記請求項１または２に記載の現像バイアス制御装置。
【請求項４】
請求項１〜３のいずれかに記載の現像バイアス制御装置と、
前記現像バイアス制御装置によって制御され、現像剤を供給する現像剤供給回転体とを含む、現像装置。
【請求項５】
請求項４に記載の現像装置を備える、画像形成装置。
【発明の詳細な説明】
【技術分野】
【０００１】
この発明は、現像バイアス制御装置、現像装置および画像形成装置に関するものであり、特に、ソフトウェアによって現像バイアス電圧を制御する現像バイアス制御装置、およびこのような現像バイアス制御装置を備える現像装置、画像形成装置に関するものである。
【背景技術】
【０００２】
画像形成装置に備えられる現像装置は、読取った画像データを基に、感光体や、感光体に現像剤を供給する現像スリーブ、マグネットローラ等の現像剤供給回転体等を用いて画像を形成し、用紙に転写して出力する。感光体への適切な現像剤の供給等の観点から、現像スリーブやマグネットローラには、所定の現像バイアス電圧が印加される。
【０００３】
従来においては、図６に示すように、回路等のハードウェアを用いて、メイン基板１０１から現像スリーブ等に現像バイアス電圧を印加する高圧ユニット１０２に対して、矩形波信号１０３を送信して、現像バイアス電圧の制御を行なっていた。具体的には、矩形波信号１０３の出力レベルの変化点１０４を、現像バイアス電圧の切替えのタイミングとし、制御部に処理を割り込ませて制御することとしていた。
【０００４】
現像バイアス電圧の制御に関する技術が、特開２００３−６６６９７号公報（特許文献１）に開示されている。特許文献１によると、現像バイアス電圧の切替え時におけるオーバーシュートやアンダーシュートを防止するために、現像バイアス電圧の交流成分の上限値を降伏電圧とするツェナーダイオード、および現像バイアス電圧の交流成分の下限値をバリスタ電圧とするバリスタを現像トランスに接続することとしている。
【特許文献１】特開２００３−６６６９７号公報
【発明の開示】
【発明が解決しようとする課題】
【０００５】
画像品質の向上を考慮すると、矩形波信号のデューティー比や出力パターンを任意に変更できる方が有利である。したがって、従来におけるハードウェアによる現像バイアス電圧の制御よりも、ソフトウェアによる現像バイアス電圧の制御の方が好ましい。
【０００６】
現像バイアス電圧の制御をソフトウェアで制御する場合においては、まず、第一のレベルおよび第二のレベルの出力を指示する第一の矩形波信号と、第一の矩形波信号による指示よりも優先され、第一および第二のレベルの間の第三のレベルの出力を指示する第二の矩形波信号とを出力し、この２つの矩形波信号に基いて、現像バイアス電圧の制御用の矩形波信号を生成し、これを高圧ユニットに出力して、現像バイアス電圧を制御することが考えられる。こうすることにより、現像バイアス電圧の多段階の出力が可能になり、より細やかな制御が可能となる。
【０００７】
上記した２つの矩形波信号および２つの矩形波信号から生成される現像バイアス電圧の制御用の矩形波信号を図７に示す。図７（ａ）は、第一の矩形波信号を示す概略図である。第一の矩形波信号１１１ａは、第一のレベルの出力を指示するレベル１１２ａおよび第二のレベルの出力を指示するレベル１１２ｂを含む。図７（ｂ）は、第二の矩形波信号を示す概略図である。第二の矩形波信号１１１ｂは、第三のレベルの出力を指示するレベル１１２ｃを含む。図７（ｃ）は、第一および第二の矩形波信号１１１ａ、１１１ｂに基いて生成される現像バイアス電圧を制御する制御用の矩形波信号１１１ｃを示す概略図である。
【０００８】
図７（ａ）〜図７（ｃ）を参照して、第一および第二の矩形波信号１１１ａ、１１１ｂに基いて生成される制御用の矩形波信号１１１ｃは、第一のレベル１１３ａ、第二のレベル１１３ｂ、および第三のレベル１１３ｃを含む。第三のレベル１１３ｃは、第一のレベル１１３ａと第二のレベル１１３ｂとの間である。この場合、第二の矩形波信号１１１ｂを第一の矩形波信号１１１ａよりも優先させて、すなわち、第一の矩形波信号１１１ａのレベル１１２ａと第二の矩形波信号１１１ｂのレベル１１２ｃとが重なる場合に、レベル１１２ｃをレベル１１２ａよりも優先させて、制御用の矩形波信号１１１ｃを生成している。なお、第一および第二の矩形波信号１１１ａ、１１１ｂの出力は、制御用の矩形波信号が図７（ｃ）に示したような意図した波形となるよう、タイミングを合わせて出力される。ここでは、制御用の矩形波信号１１１ｃにおける第三のレベル１１３ｃの前後に第一のレベル１１３ａが表れないよう意図して、レベル１１２ａとレベル１１２ｃとが完全に重なるように出力される。
【０００９】
このような制御用の矩形波信号１１１ｃにより現像バイアス電圧の制御を行なうと、より細やかな現像バイアス電圧の出力、具体的には、３段階での現像バイアス電圧の制御が可能になり、適正な画像を形成することができる。
【００１０】
ここで、例えば、図７（ｃ）に示す制御用の矩形波信号１１１ｃを意図して得ようとした場合、図８（ａ）および図８（ｂ）に示す第一および第二の矩形波信号１１４ａ、１１４ｂにおいて、例えば、第二の矩形波信号１１４ｂが若干遅れ、レベル１１５ｃの立上りがレベル１１５ａの立上りから時間ｔｘだけ遅くなる場合がある。そうすると、図８（ｃ）で示すように、生成された制御用の矩形波信号１１４ｃは、レベル１１５ｃの立上りが遅れた時間ｔｘの分だけ第一のレベル１１６ａを含むことになる。
【００１１】
このように、第一および第二の矩形波信号１１４ａ、１１４ｂにおいて、出力のタイミングがずれてしまうと、意図しない制御用の矩形波信号１１４ｃが制御用の矩形波信号として出力されることになる。具体的には、意図しない第一のレベル１１６ａが第三のレベル１１６ｂの前に含まれた制御用の矩形波信号１１４ｃが生成されることになる。このような意図しない出力を有する制御用の矩形波信号では適切な現像バイアス電圧の制御が行なえず、引いては、画質の劣化を招く虞もある。ここで、第一および第二の矩形波信号は、ソフトウェアにより起動され生成されるため、第一および第二の矩形波信号１１４ａ、１１４ｂの出力のタイミングに基づいた立上りの遅れを生じさせなくすることは困難である。
【００１２】
この発明の目的は、適切に現像バイアス電圧を制御することができる現像バイアス制御装置を提供することである。
【００１３】
この発明の他の目的は、画像品質を向上することができる現像装置を提供することである。
【００１４】
この発明のさらに他の目的は、画像品質を向上することができる画像形成装置を提供することである。
【課題を解決するための手段】
【００１５】
この発明に係る現像バイアス制御装置は、第一のレベルと、第二のレベルと、第一および第二のレベルの間の第三のレベルとを有する矩形波信号によって、現像バイアス電圧を制御する現像バイアス制御装置であって、第一および第二のレベルの出力を指示する第一の矩形波信号と、第一の矩形波信号による指示よりも優先され、第三のレベルの出力を指示する第二の矩形波信号と、第一の矩形波信号の立上りと第二の矩形波信号の立上りとが重なるときは、第二の矩形波信号の立上りを第一の矩形波信号の立上りよりも早くし、第一の矩形波信号の立下りと第二の矩形波信号の立下りとが重なるときは、第二の矩形波信号の立下りを第一の矩形波信号の立下りよりも遅くするよう制御する制御手段とを備える。
【００１６】
好ましくは、第一および第二の矩形波信号に基いて、現像バイアス電圧を制御する矩形波信号を生成する制御用矩形波信号生成手段を含む。
【００１７】
さらに好ましい一実施形態として、所定の条件に応じて、第一、第二および第三のレベルを変更するレベル変更手段を含む。
【００１８】
この発明の他の局面においては、現像装置は、上記したいずれかの現像バイアス制御装置と、現像バイアス制御装置によって制御され、現像剤を供給する現像剤供給回転体とを含む。
【００１９】
この発明のさらに他の局面においては、画像形成装置は、上記した現像装置を含む。
【発明の効果】
【００２０】
この発明によると、第一の矩形波信号の立上りと第二の矩形波信号の立上りとが重なるときは、第二の矩形波信号の立上りを第一の矩形波信号の立上りよりも早くし、第一の矩形波信号の立下りと第二の矩形波信号の立下りとが重なるときは、第二の矩形波信号の立下りを第一の矩形波信号の立下りよりも遅くしているため、立上りや立下りがずれた場合であっても、第一のレベル、第二のレベル、および第三のレベルを有する現像バイアス電圧の制御用の矩形波信号が、意図しない波形となる虞を低減することができる。したがって、適切に現像バイアス電圧を適切に制御することができる。
【００２１】
また、このような現像装置および画像形成装置によると、現像バイアス電圧を適切に制御することができる現像バイアス制御装置を備えるため、画像品質をより向上することができる。
【発明を実施するための最良の形態】
【００２２】
以下、この発明の実施の形態を、図面を参照して説明する。図１はこの発明の一実施形態に係る現像バイアス制御装置を備える現像装置を含む画像形成装置を、デジタル複合機１０に適用した場合のデジタル複合機１０の構成を示すブロック図である。図１を参照して、デジタル複合機１０は、デジタル複合機１０全体を制御する制御部１１と、画像データ等の書込みや読出しを行うためのＤＲＡＭ１２と、デジタル複合機１０の有する情報を表示する表示画面を含み、デジタル複合機１０におけるユーザとのインターフェースとなる操作部１３と、原稿を自動的に所定の原稿読取り位置へ搬送する原稿送り装置１４と、原稿送り装置１４によって搬送されてきた原稿の画像を所定の読取り位置で読取る画像読取り部１５と、画像読取り部１５で読取られた原稿等からその画像を形成し、用紙に出力する現像装置１６と、画像データ等を格納するハードディスク１７と、公衆回線２０に接続されるＦＡＸ通信部１８と、ネットワーク２１と接続するためのネットワークＩＦ（インターフェース）部１９とを含む。
【００２３】
制御部１１は、画像読取り部１５から与えられる原稿データをＤＲＡＭ１２に圧縮符号化して書き込み、ＤＲＡＭ１２に書き込んだデータを読出し、伸張符号化して現像装置１６により出力する。
【００２４】
デジタル複合機１０は、画像読取り部１５により読取られた原稿を用いて、ＤＲＡＭ１２を介して現像装置１６において画像を形成することにより、複写機として作動する。また、デジタル複合機１０は、ネットワークＩＦ部１９を通じて、ネットワーク２１に接続されたパソコン２２から送信された画像データを用いて、ＤＲＡＭ１２を介して現像装置１６において画像を形成することにより、プリンターとして作動する。さらに、デジタル複合機１０は、ＦＡＸ通信部１８を通じて、公衆回線２０から送信された画像データを用いて、ＤＲＡＭ１２を介して現像装置１６において画像を形成することにより、また、画像読取り部１５により読取られた原稿の画像データを、ＦＡＸ通信部１８を通じて公衆回線２０に画像データを送信することにより、ファクシミリ装置として作動する。
【００２５】
なお、図１において太線の矢印は画像データの流れを示しており、細線の矢印は制御信号または制御データの流れを示している。
【００２６】
次に、現像装置１６の構成について説明する。図２は、デジタル複合機１０に備えられる現像装置１６の一部を示す概略図である。図２中において、用紙の流れを矢印で示している。図１および図２を参照して、現像装置１６は、フルカラーの画像を形成可能であり、イエロー、シアン、マゼンタ、ブラックの４色に対応する現像器２６ａ、２６ｂ、２６ｃ、２６ｄと、各現像器２６ａ〜２６ｄにおいて現像された各色の画像を転写する中間転写体としての転写ベルト２７とを含む。
【００２７】
現像器２６ａは、感光体２５ａへ現像剤（図示せず）を供給する現像スリーブ３１ａと、現像スリーブ３１ａへ現像剤を供給するマグネットローラ３２ａと、マグネットローラ３２ａへ現像剤を補給するトナーホッパー３３ａとを有する１．５成分系の現像方式である。感光体２５ａに最も近い位置に現像スリーブ３１ａが設けられており、その上方にマグネットローラ３２ａ、さらにその上方にトナーホッパー３３ａが設けられている。トナーホッパー３３ａから供給された現像剤（トナー）は、マグネットローラ３２ａにおいてキャリアと共に十分攪拌され、その後、現像スリーブ３１ａに供給され、現像スリーブ３１ａから感光体２５ａへ供給されて現像される。このようにして、現像器２６ａで、画像を形成する。すなわち、現像装置１６に含まれる現像剤供給回転体は、現像スリーブ３１ａと、現像スリーブ３１ａに現像剤を供給するマグネットローラ３２ａとを含む。
【００２８】
なお、その他の現像器２６ｂ〜２６ｄについても、感光体２５ｂ、２５ｃ、２５ｄへそれぞれ現像剤を供給する現像スリーブ３１ｂ、３１ｃ、３１ｄと、現像スリーブ３１ｂ〜３１ｄへ現像剤を供給するマグネットローラ３２ｂ、３２ｃ、３２ｄと、マグネットローラ３２ｂ〜３２ｄへ現像剤を補給するトナーホッパー３３ｂ、３３ｃ、３３ｄとを含む。現像器２６ｂ〜２６ｄの構成は、現像器２６ａと同様であるため、その説明を省略する。
【００２９】
各現像器２６ａ〜２６ｄで形成された各色の画像は、転写ベルト２７上に順次重ね合わせるように転写される。このように４色の画像を重ね合わせて、転写ベルト２７上にフルカラー画像が形成される。すなわち、現像スリーブ３１ａ〜３１ｄ、およびマグネットローラ３２ａ〜３２ｄは、フルカラーの画像を形成するために用いられる。転写ベルト２７上に形成されたフルカラー画像は、カセット２４から転写部２８まで給紙された用紙Ｐに転写される。フルカラー画像を転写された用紙Ｐは、定着部（図示せず）を経て、排出トレイ２９に排出される。
【００３０】
各現像器２６ａ〜２６ｄに設けられた現像スリーブ３１ａ〜３１ｄおよびマグネットローラ３２ａ〜３２ｄには、適切な画像を形成するために、高圧ユニット（図示せず）から現像バイアス電圧が印加される。ここで、現像装置１６は、現像剤を供給する現像剤供給回転体としての現像スリーブ３１ａ〜３１ｄおよびマグネットローラ３２ａ〜３２ｄに印加する現像バイアス電圧をソフトウェアで制御する現像バイアス制御装置（図示せず）を備える。
【００３１】
図３は、現像バイアス制御装置のブロック図である。図３において、矢印は制御信号または制御データの流れを示している。図３を参照して、現像バイアス制御装置４１は、高圧ユニット用の高圧を付与する制御部１１と、デジタル信号をアナログ信号に変換して出力するＤＡＣ（Ｄｉｇｉｔａｌ  Ａｎａｌｏｇ  Ｃｏｎｖｅｒｔｅｒ）４２と、アナログ信号のスイッチとなるアナログスイッチ４３と、現像バイアス電圧の制御用の矩形波信号から、現像スリーブ３１ａ等に現像バイアス電圧を印加する高圧ユニット４４とを含む。ＤＡＣ４２は、各チャンネル、例えば、０、１、２チャンネルに、後述する第一のレベル、第二のレベル、および第三のレベルに対応するレベルの出力を行なっている。
【００３２】
制御部１１は、内蔵のタイマアレイユニット（図示せず）を用い、制御部１１からアナログスイッチ４３へＤＡＣ４２への出力切替え信号を出力する。この出力切替え信号は、後述する第一および第二の矩形波信号である。アナログスイッチ４３は、入力されたＤＡＣ４２の出力切替え信号に従って、ＤＡＣ４２からの出力を切替え、高圧ユニット４４に制御用の矩形波信号を出力する。
【００３３】
ここで、現像バイアス制御装置４１は、第一および第二のレベルの出力を指示する第一の矩形波信号と、第一の矩形波信号による指示よりも優先され、第三のレベルの出力を指示する第二の矩形波信号と、第一の矩形波信号の立上りと第二の矩形波信号の立上りとが重なるときは、第二の矩形波信号の立上りを第一の矩形波信号の立上りよりも早くし、第一の矩形波信号の立下りと第二の矩形波信号の立下りとが重なるときは、第二の矩形波信号の立下りを第一の矩形波信号の立下りよりも遅くするよう制御する制御手段とを備える。また、現像バイアス制御装置４１は、第一および第二の矩形波信号に基いて、現像バイアス電圧を制御する矩形波信号を生成する制御用矩形波信号生成手段を含む。
【００３４】
次に、現像装置１６に含まれる現像スリーブ３１ｂの現像バイアス電圧の制御を行なう場合について説明する。
【００３５】
図４は、現像バイアス電圧を印加する場合のフローチャートである。図５（ａ）は、第一の矩形波信号を示す概略図であり、上記した図７（ａ）に対応する。図５（ｂ）は、第二の矩形波信号を示す概略図であり、上記した図７（ｂ）に対応する。図５（ｃ）は、現像バイアス電圧を制御する制御用の矩形波信号を示す概略図であり、上記した図７（ｃ）に対応する。
【００３６】
図１〜図４および図５（ａ）〜（ｃ）を参照して、現像バイアス電圧の制御の要求を受付けると（図４において、ステップＳ１１、以下、ステップを省略する）、まず、図５（ａ）に示す第一および第二の矩形波信号４５ａ、および図５（ｂ）に示す第二の矩形波信号４５ｂを出力する（Ｓ１２）。第一の矩形波信号４５ａは、第一のレベルを指示するレベル４６ａおよび第二のレベルを指示するレベル４６ｂを含む。また、第二の矩形波信号４５ｂは、第三のレベルを指示するレベル４６ｃを含む。
【００３７】
ここで、第一の矩形波信号４５ａの立上りと第二の矩形波信号４５ｂの立上りとが重なるときは、第二の矩形波信号４５ｂの立上りを第一の矩形波信号４５ａの立上りよりも早くする。また、第一の矩形波信号４５ａの立下りと第二の矩形波信号４５ｂの立下りとが重なるときは、第二の矩形波信号４５ｂの立下りを第一の矩形波信号４５ａの立下りよりも遅くする。具体的には、図５（ｂ）において、レベル４６ｃの立上りのタイミングをレベル４６ａの立上りのタイミングよりも時間ｔ１分だけ早くし、レベル４６ｃの立下りのタイミングをレベル４６ａの立下りのタイミングよりも時間ｔ２分だけ遅くする。
【００３８】
その後、第一および第二の矩形波信号４５ａ、４５ｂに基いて、現像バイアス電圧を制御する制御用の矩形波信号４５ｃを生成する（Ｓ１３）。生成された図５（ｃ）に示す制御用の矩形波信号４５ｃには、第一の矩形波信号４５ａのレベル４６ａに対応する第一のレベル４７ａ、第一の矩形波信号４５ａのレベル４６ｂに対応する第二のレベル４７ｂ、および第二の矩形波信号４５ｂのレベル４６ｃに対応する第三のレベル４７ｃが含まれる。この場合、第一の矩形波信号４５ａと第二の矩形波信号４５ｂを合わせるようにして生成するが、合わせる際には、第一の矩形波信号４５ａによる指示よりも第二の矩形波信号４５ｂによる指示が優先されるようにして生成される。
【００３９】
そして、生成された制御用の矩形波信号４５ｃを高圧ユニット４４に出力して、現像バイアス電圧を印加する（Ｓ１４）。
【００４０】
こうすることにより、第一の矩形波信号４５ａの立上りと第二の矩形波信号４５ｂの立上りとが重なるときは、第二の矩形波信号４５ｂの立上りを第一の矩形波信号４５ａの立上りよりも早くし、第一の矩形波信号４５ａの立下りと第二の矩形波信号４５ｂの立下りとが重なるときは、第二の矩形波信号４５ｂの立下りを第一の矩形波信号４５ａの立下りよりも遅くしているため、立上りや立下りがずれた場合であっても、第一のレベル４７ａ、第二のレベル４７ｂ、および第三のレベル４７ｃを有する現像バイアス電圧の制御用の矩形波信号４５ｃが、意図しない波形となる虞を低減することができる。したがって、適切に現像バイアス電圧を適切に制御することができる。
【００４１】
また、このような現像装置１６およびデジタル複合機１０によると、現像バイアス電圧を適切に制御することができる現像バイアス制御装置４１を備えるため、画像品質をより向上することができる。
【００４２】
なお、上記の実施の形態においては、デジタル複合機に備えられる制御部によって、現像バイアス制御装置の動作を制御することにしたが、これに限らず、現像バイアス制御装置は、その内部に制御部を備え、この制御部によって制御を行なうよう構成してもよい。
【００４３】
また、上記の実施の形態において、第一のレベル、第二のレベル、および第三のレベルを所定の条件に応じて変更するレベル変更手段を含むよう構成してもよい。例えば、感光体や現像剤の経時変化による劣化度合い、形成する画像の画質等に応じて、第一のレベル、第二のレベル、および第三のレベルを変更する。こうすることにより、より適切な画像を形成することができる。
【００４４】
なお、上記の実施の形態においては、第一のレベル、第二のレベル、および第三のレベルといった３段階で現像バイアス電圧を制御することにしたが、これに限らず、３段階よりも多くして現像バイアス電圧を制御するようにしてもよい。
【００４５】
また、上記の実施の形態においては、第一および第二の矩形波信号に基いて、制御用の矩形波信号を生成することにしたが、これに限らず、制御用の矩形波信号を生成せず、そのまま直接第一および第二の矩形波信号から現像バイアス電圧の制御を行なうよう構成してもよい。
【００４６】
なお、上記の実施の形態においては、現像装置に含まれる各現像器は、現像剤供給回転体として、現像スリーブおよびマグネットローラを含む構成としたが、これに限らず、現像装置に含まれる各現像器において、複数の現像スリーブのみ、または複数のマグネットローラのみを有する１成分系の現像装置、または２成分系の現像装置の構成であってもよい。さらに、１つの現像器が現像スリーブおよびマグネットローラを備える構成であってもよい。さらに、１つの現像器について、３以上の現像スリーブや３以上のマグネットローラを備える構成であってもよい。
【００４７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【図面の簡単な説明】
【００４８】
【図１】この発明の一実施形態に係る現像バイアス制御装置を含む現像装置を備えるデジタル複合機の全体構成を示すブロック図である。
【図２】現像装置の一部を示す概略図である。
【図３】現像バイアス制御装置の一部を示すブロック図である。
【図４】現像バイアス電圧を制御する場合の動作を示すフローチャートである。
【図５】この発明の一実施形態に係る現像バイアス制御装置によって出力される（ａ）第一の矩形波信号と、（ｂ）第二の矩形波信号と、（ｃ）制御用の矩形波信号とを示す図である。
【図６】矩形波信号を送信する場合の概念図である。
【図７】従来において出力される（ａ）第一の矩形波信号と、（ｂ）第二の矩形波信号と、（ｃ）制御用の矩形波信号とを示す図である。
【図８】従来において立上りが遅れた場合の（ａ）第一の矩形波信号と、（ｂ）第二の矩形波信号と、（ｃ）制御用の矩形波信号とを示す図である。
【符号の説明】
【００４９】
１０  デジタル複合機、１１  制御部、１２  ＤＲＡＭ、１３  操作部、１４  原稿送り装置、１５  画像読取り部、１６  現像装置、１７  ハードディスク、１８  ＦＡＸ通信部、１９  ネットワークＩＦ部、２０  公衆回線、２１  ネットワーク、２２  パソコン、２４  カセット、２５ａ，２５ｂ，２５ｃ，２５ｄ  感光体、２６ａ，２６ｂ，２６ｃ，２６ｄ  現像器、２７  転写ベルト、２８  転写部、２９  排出トレイ、３１ａ，３１ｂ，３１ｃ，３１ｄ  現像スリーブ、３２ａ，３２ｂ，３２ｃ，３２ｄ  マグネットローラ、３３ａ，３３ｂ，３３ｃ，３３ｄ  トナーホッパー、４１  現像バイアス制御装置、４２  ＤＡＣ、４３  アナログスイッチ、４４  高圧ユニット、４５ａ，４５ｂ，４５ｃ  矩形波信号、４６ａ，４６ｂ，４６ｃ，４７ａ，４７ｂ，４７ｃ  レベル。
【図１】
0005173492.tif 000002
【図２】
0005173492.tif 000003
【図３】
0005173492.tif 000004
【図４】
0005173492.tif 000005
【図５】
0005173492.tif 000006
【図６】
0005173492.tif 000007
【図７】
0005173492.tif 000008
【図８】
0005173492.tif 000009